(57)【特許請求の範囲】
【請求項１】
測定対象物の電気的特性を測定するための測定装置であって、
固定具取り付け部を備え、上記測定対象物の測定値を得るための本体部と、
上記本体部に設けられ、上記測定値を表示するための表示部と、
上記本体部と上記表示部との間に設けられ、上記表示部の少なくとも一方向の向きを可変する表示向き可変機構と、
上記固定具取り付け部に取り付けられ、上記本体部を所定箇所に固定するための固定具と、
上記本体部に接続ケーブルを介して接続されるプローブとを有し、
上記固定具で所定箇所に固定される上記固定具取り付け部は、上記表示向き可変機構で上記表示部が少なくとも一方向の向きを可変として設けられた上記本体部が回動自在に取り付けられている
ことを特徴とする測定装置。
【請求項２】
上記プローブは、
収納部を備えた把持部と、
上記把持部に固定された回転軸を中心に回転することで取り出し可能に上記収納部に収納される複数種類の接触子とからなり、
上記複数種類の接触子のうち、任意の接触子を選択的に取り出して使用するようにした
ことを特徴とする請求項１に記載の測定装置。
【発明の詳細な説明】
【技術分野】
【０００１】
この発明は、測定対象物の電気的特定を測定するために用いられる測定装置およびプローブに関する。
【０００２】
詳しくは、この発明は、本体部に取り付け部を介して固定具を取り付けた構成とすることによって、この固定具によりユーザの腕等の所定箇所に本体部を固定することができ、ユーザが作業性を損ねることなく測定対象物の測定を行うことを可能とした測定装置に係るものである。
【背景技術】
【０００３】
従来、カードテスタ２００は図８に示すように、本体部２００Ａに接続ケーブルを介して２つのプローブ２００Ｂが取り付けられた構成であった。ユーザはこのカードテスタ２００を使用する際、本体部２００Ａを机の上等に置き、２本のプローブ２００Ｂを両手で持って測定を行っていた（特許文献１参照）。
【０００４】
しかし、電柱上で作業する場合等、本体部２００Ａを置く場所がない場合に、例えば、本体部２００Ａを片方の手で把持し、もう片方の手で２本のプローブ２００Ｂを持って測定を行わなければならず、非常に作業性が悪かった。また、本体部２００Ａを置いて測定を行う場合であっても、作業場所が電柱上等の高所である場合には、本体部２００Ａが落下すると危険であった。
【０００５】
そこで、従来、特許文献２では、プローブを容易に持つことができるように、本体部とプローブとが一体となった一体型テスタが提案されている。図９は、一体型のテスタであるテスタ３００を示した図である。図９に示すように、テスタ３００は、本体部３００Ａにプローブ３００Ｂが接続された構成となっている。
【０００６】
また、特許文献３では、構成は図８に示す特許文献１に記載のカードテスタ２００と同じであるものの、作業性を向上させるために、測定対象物に合わせてユーザが適切な形状の接触子を装着することを可能としたプローブが提案されている。
【０００７】
【特許文献１】特開平０５−２４９１４２号公報
【特許文献２】特開２００４−１２５４６６号公報
【特許文献３】特開２００１−３５６１３４号公報
【発明の開示】
【発明が解決しようとする課題】
【０００８】
しかし、特許文献２に記載の発明は、本体部とプローブとが一体となっていたため、大きくて持ちづらい上、重く、ユーザの手に負担がかかって作業性が悪かった。
【０００９】
また、特許文献３に記載の発明も、測定対象物に合わせてプローブの接触子を変更することは便利ではあったものの、測定の度に先端部を取り付けることが面倒であった上、取り付ける際に先端部が落下するおそれがあり、危険であった。
【００１０】
この発明の目的は、ユーザの作業性を損ねることなく、測定を行うことができる測定装置を提供することにある。
【課題を解決するための手段】
【００１１】
この発明の概念は、測定対象物の電気的特性を測定するための測定装置であって、固定具取り付け部を備え、測定対象物の測定値を得るための本体部と、本体部に設けられ、測定値を表示するための表示部と、本体部と表示部との間に設けられ、表示部の少なくとも一方向の向きを可変する表示向き可変機構と、固定具取り付け部に取り付けられ、本体部を所定箇所に固定するための固定具と、本体部に接続ケーブルを介して接続されるプローブとを有し、固定具で所定箇所に固定される固定具取り付け部は、表示向き可変機構で表示部が少なくとも一方向の向きを可変として設けられた本体部が回動自在に取り付けられていることを特徴とする測定装置にある。
【００１２】
この発明において、測定装置は、測定対象物、例えば、電柱からの引き込み線の電圧等を測定するために用いられる。この測定装置の本体部には、測定装置本体部で算出された所定の測定対象物の測定結果を表示するための表示部が設けられている。
【００１３】
例えば、測定装置は、本体部と表示部との間に、表示部の少なくとも一方向、例えば上下方向に向きを可変する表示向き可変機構を有しており、表示部に表示される測定値が見やすいように、ユーザが表示部の表示向きを容易に調節することができるような構成とされる。
【００１４】
本体部は固定具取り付け部を備え、この固定具取り付け部には、固定具が取り付けられる。固定具は、所定箇所、例えばユーザの腕等に本体部を固定するためのものである。固定具は、例えば、ベルトであり、ベルトの両端部に面ファスナ等が取り付けられて、ユーザの腕等に着脱自在に装着できるような構成とされる。
【００１５】
ユーザは、固定具としてのベルトを腕に巻きつけ、両端部を面ファスナで接続することで本体部を容易に腕に固定することができるので、本体部を手で持っている必要がなく、作業性を向上させることができる。また、本体部は固定具によってユーザの腕にしっかりと固定されているので、落下するおそれを軽減することができる。
【００１６】
また、例えば、取り付け部と本体部との間に回動部材を設けて、取り付け部が、本体部に回動自在に取り付けられるようにしてもよい。このような構成とすることによって、ユーザは、本体部を腕等に固定した後であっても、作業がしやすく、表示部に表示される測定値が見やすいように、本体部を片手で容易に回動させることができる。
【００１７】
本体部には、さらに、プローブが接続線を介して接続されていてもよい。プローブは、ユーザが把持する部分である把持部と、測定対象物に接触させる接触子とを有している。プローブは、例えば、このような接触子を複数種類有している。なお、ここでいう種類は、接触子の形状およびサイズを意味している。
【００１８】
また、把持部は収納部を有しており、複数種類の接触子は、この収納部に取り出し可能に収納されている。例えば、把持部には回転軸が固定されており、複数種類の接触子の基端がこの回転軸に固定され、この回転軸を中心に接触子の反対側の端部、つまり接触端が回動させられることで、取り出しが可能な構成とされる。
【００１９】
このように、ユーザが、複数種類の接触子の中から、測定対象物の形状に見合った任意の接触子を選択的に取り出して使用することができるような構成となっている。よって、ユーザは測定の際に測定対象物の形状に合わせて先端部を収納部から選択して取り出すだけでよく、測定の度に適切な先端部を装着する手間がない上、先端部を誤って落下させる危険性がない。
【発明の効果】
【００２０】
この発明によれば、本体部に取り付け部を介して固定具を取り付けた構成としたものであり、固定具により本体部をユーザの腕等の所定箇所に固定することができ、ユーザが作業性を損ねることなく測定を行うことができる。
【発明を実施するための最良の形態】
【００２１】
以下、本発明の実施の形態について説明する。
【００２２】
図１は、本発明の実施の形態としての測定装置１００の構成を示す図である。測定装置１００の本体部１０は、例えば、ユーザの腕に取り付けられるものであり、図１は、本体部１０を、裏側、つまり、ユーザの腕に装着される側から見たものである。
【００２３】
測定装置１００は、本体部１０と、本体部１０に取り付けられたベルト取り付け具１１と、ベルト３０と、接続ケーブル５０を介して接続されたプローブ２０と、図３を用いて後述する本体部に連設された表示部３０とで構成される。
【００２４】
図１に示すように、本体部１０には、取り付け部としてのベルト取り付け具１１が設けられており、このベルト取り付け具１１にはベルト３０が取り付けられている。図２は、ベルト取り付け具１１の構成を示す図である。図２に示すように、本体部１０に設けられたベルト取り付け具１１には、ベルト通し部１１Ａが形成されている。ベルト３０（図２に図示せず）は、このベルト通し部１１Ａに通されることでベルト取り付け具１１に取り付けられる。
【００２５】
また、このベルト３０の端部３０ａ、３０ｂには、図１に示すように、端部３０ａ、３０ｂを着脱自在に接続するための面ファスナを構成する、オス面ファスナ４０ａおよびメス面ファスナ４０ｂがそれぞれ取り付けられている。なお、メス面ファスナ４０ｂはベルト３０の面のうち、オス面ファスナ４０ａの対向する面に取り付けられるため、図１においては、メス面ファスナ４０ｂを破線で示している。
【００２６】
このような構成となっているので、ユーザは、ベルト通し部１１Ａに通されたベルト３０を腕等に巻きつけ、オス面ファスナ４０ａおよびメス面ファスナ４０ｂが重なり合うようにして両端部３０ａ、３０ｂを接続させることで、本体部１０を容易に腕に固定することができる。
【００２７】
また、図２に示すように、ベルト取り付け具１１と本体部１０の間には、回動板１２が設けられている。この回動板１２は、図２に示す矢印の方向に力が加わると、この矢印の方向に回動する構成となっている。これにより、回動板１２に接続されたベルト取り付け具１１および本体部１０も回動板１２の回動に併せて回動する。
【００２８】
このように、回動板１２が設けられることで、ユーザは、ベルト３０を装着して本体部１０を腕に固定した後であっても、ベルト取り付け具１１を抑えて本体部１０に矢印の方向に力を加えれば、本体部１０を容易に回動されることができ、作業がしやすく、後述するディスプレイ１０Ｂに表示される測定値が見やすいように調節することが可能である。なお、このベルト取り付け具１１および回動板１２は、本体部１０の、後述する表示部１０Ａが配設された面、つまり正面に設けられていてもよい。
【００２９】
図３は、本体部の正面図である。図３に示すように、表示部１０Ａは、上述したように、本体部１０の上部に配設されている。また、この表示部１０Ａには、本体部１０から供給される測定値を表示するためのディスプレイ１０Ｂが設けられている。このディスプレイ１０Ｂは、例えば、ＬＣＤ（Liquid Crystal Display）等で構成されている。図３においては、ディスプレイ１０Ｂに測定対象物の電圧が表示されている。
【００３０】
図４は、本体部１０の側面図である。図４に示すように、表示部１０Ａの本体部１０との連結部分には、表示向き可変機構としてのヒンジ１３が設けられており、表示部１０Ａはヒンジ１３を介して回動自在な構成となっている。よって、表示部１０Ａに、図４に示す矢印の向きに力が加わると、ヒンジ１３を回転軸として容易に矢印の方向、つまり上下方向に表示部１０Ａの向きを可変することが可能である。
【００３１】
図４では、表示部１０Ａを、ヒンジ１３を介して上下方向に向きを可変できるような構成としたが、上下の一方向のみならず、左右方向にも向きを可変できるような構成としてもよいこの場合、ヒンジ１３に加えて、左右方向に向きを可変するための可変機構をさらに設けることで容易に実現できる。
【００３２】
このように、ユーザは、ベルト３０を腕に装着して、本体部１０を固定した後であっても、ディスプレイ１０Ｂに日光等が反射して、表示された測定値が見づらい場合でも、表示部１０Ａの向きを片手で容易に可変させることができるので、便利である。  
また、図１に示すように、本体部１０から引き出された２本の接続ケーブル５０の先端には、プローブ２０が接続されている。プローブ２０は本体部１０と電気的に接続された状態にある。図５、図６は、プローブ２０の構成を示した図である。以下、図５および図６を用いて、プローブ２０の構成について説明する。
【００３３】
図５、図６に示すように、プローブ２０は、把持部２０Ａと、複数種類、この実施の形態では３種類の接触子２０Ｂ1〜２０Ｂ3とで構成される。把持部２０Ａは、ユーザが手で把持する部分であり、把持部２０Ａの内部には、図６に示すように、使用しない接触子を収納するためのスペースである、収納部２０Ｃが設けられている。把持部２０Ａのうち、収納部２０Ｃが設けられている部分は、接触子２０Ｂ1〜２０Ｂ3を把持部２０Ａの左右の両側面から取り出せるように、把持部２０Ａの左右側面部分が開放された構成となっている。
【００３４】
また、プローブ２０は、図５に示すように、３種類の接触子２０Ｂ1〜２０Ｂ3を有しており、互いに形状を異にしている。図５においては、形状の異なった３つの接触子２０Ｂ1〜２０Ｂ3を図示しているが、同じ形状であって、サイズが異なるものを有していてもよい。また、図５では、これら３つの接触子２０Ｂ1〜２０Ｂ3は全て取り出された状態となっているが、図６に示すように、通常使用されないときは、収納部２０Ｃに収納されている。
【００３５】
３本の接触子２０Ｂ1〜２０Ｂ3の先端（接触端）とは反対側の基端は、図６に示すように、それぞれ、回転軸を構成する、ビス２１およびナット２２を用いて把持部２０Ａと接続されている。これら３つの接触子２０Ｂ1〜２０Ｂ3の接触端は、それぞれ基端を中心として、図６に示す矢印の方向に回動されることで、収納部２０Ｃの外部に取り出され、使用可能な状態となる。図６においては、接触子２０Ｂ2が取り出され、使用可能な状態となっており、他の接触子２０Ｂ1、２０Ｂ3は収納部２０Ｃに収納されている。
【００３６】
なお、接続ケーブル５０と各接触子２０Ｂ1〜２０Ｂ3の先端（接触端）とは、図６に破線で示すように、把持部２０Ａの内部で電気的に接続されている。
【００３７】
このように、複数種類の接触子２０Ｂ1〜２０Ｂ3をプローブ２０に設けるのは、測定対象物の形状、状態に応じて、適切な接触子を使い分けるためである。
【００３８】
例えば、図６に示す接触子２０Ｂ2は、カギ状となっている。これは、例えば、電線等、２本以上の線がより合わさった、より線が測定対象物である場合に使用される。この場合、接触子２０Ｂ2の先端をより線内部に挿入して、この接触子２０Ｂ2をより線にひっかけることができ、測定の作業がしやすくなる。
【００３９】
図７は、この測定装置１００の使用状態を示した図である。図７においては、ユーザは測定装置１００を用いて、測定部位６０Ａ、６０Ｂの電位差を測定している。
【００４０】
ユーザは、ベルト３０を腕に巻きつけ、このベルト３０の両端部３０ａ、３０ｂを、面ファスナを用いて接続することで本体部１０を固定し、さらに作業がしやすく、ディスプレイ１０Ｂに表示される測定値が見やすいように、本体部１０を回動させる。また、表示部１０Ａの向きを、本体部１０と同様に、ディスプレイ１０Ｂに表示される測定値が見やすい位置に可変する。
【００４１】
ユーザは、先端にプローブ２０が接続された２本の接続ケーブル５０を引き出し、２つのプローブ２０の把持部２０Ａに設けられた収納部２０Ｃから、例えば図６に示すように、カギ状の接触子２０Ｂ2をそれぞれ取り出し、使用可能な状態とする。ユーザは把持部２０Ａを両手で把持して、一方の接触子２０Ｂ2を、測定部位６０Ａに接触させ、他方の接触子２０Ｂ2を測定部位６０Ｂに接触させる。本体部１０は各プローブ２０の測定部位６０Ａ、６０Ｂへの接触に対応して、測定部位６０Ａ、６０Ｂ間の電位差を算出し、算出された電位差である測定値を表示部１０Ａのディスプレイ１０Ｂに供給する。
【００４２】
このように、ユーザはベルト３０を用いて本体部１０を腕に固定することで、両手で容易にプローブ２０を把持することができる上、本体部１０を落下させることがなく、安全である。また、プローブ２０の接触子２０Ｂ1〜２０Ｂ3のうち、測定対象物に応じて適切なものを選択して容易に使用可能な状態とすることができるので、作業性がよい。
【００４３】
なお、上述の実施の形態においては、バンド３０に面ファスナを取り付けて本体部１０をユーザの腕に固定したが、面ファスナの代わりにベルト通しや、ホックを用いて着脱自在な構成としてもよい。
【００４４】
また、ベルト３０を用いるのではなく、ベルト３０の代わりに伸縮性のあるラバーバンドを用いて腕に本体部１０を固定するようにしてもよいし、合成樹脂でできたＣ字型のバングル状の部材を用いてもよく、本体部１０の固定方法は上述した実施の形態に限定されない。
【００４５】
また、上述の実施の形態においては、図７に示すように、バンド３０を用いて本体部１０をユーザの腕に固定するようにしたが、表示部１０Ａのディスプレイ１０Ｂに表示される測定値が見える位置であれば、ユーザの腕に限らず、腰や脚等に固定してもよいし、測定場所付近にある柱等に固定するようにしてもよい。
【００４６】
また、上述の実施の形態においては、本体部１０に接続ケーブル５０が予め接続された構成としたが、接続ケーブル５０およびプローブ２０を本体１０とは別体に設けるようにしてもよい。この場合、接続ケーブル５０の端部のうち、プローブ２０が接続されていない端部には、本体部１０に接続するためのプラグ（図示せず）が取り付けられた構成とされる。ユーザは、使用時に、接続ケーブル５０に取り付けられたこのプラグを、本体部１０に設けられた、プラグを挿し込むためのプラグ挿込口に挿し込んで、測定を行う。
【００４７】
また、このプローブ２０は、上述した実施の形態の測定装置１００のみならず、他の測定機器に使用することもできる。
【００４８】
また、上述の実施の形態においては、測定対象物の測定対象として電線の電圧等をあげたが、測定対象物はこれに限定されない。さらに、測定対象物に応じて、電圧、電流、抵抗値等、測定対象を切り換えられるようにしてもよい。この場合、本体部１０のうち、表示部１０Ａの下部に、測定対象を切り換えるための切り換えボタン（スイッチ）を設けた構成とすれば、ユーザは測定の際に容易に切り換えることができて、大変便利である。
【産業上の利用可能性】
【００４９】
この発明は、本体部をユーザの腕等に固定して、電気的特定を測定することを可能とした測定装置に係るものであり、電線等の電圧の測定の際に適用することができる。
【図面の簡単な説明】
【００５０】
【図１】測定装置１００の構成を示した図である。
【図２】ベルト取り付け具１１の構成を示した図である。
【図３】本体部１０の正面図である。
【図４】本体部１０の側面図である。
【図５】プローブ２０に取り付けられた接触子２０Ｂ1〜２０Ｂ3を示した図である。
【図６】収納部２０Ｃの構成を示した図である。
【図７】測定装置１００の使用状態を示した図である。
【図８】従来のカードテスタ２００を示した図である。
【図９】従来のプローブと本体部が一体となった一体型のテスタ３００を示した図である。
【符号の説明】
【００５１】
１０…本体部、１０Ａ…表示部、１０Ｂ…ディスプレイ、１１…ベルト取り付け具、１１Ａ…ベルト通し穴、１２…回動板、１３…ヒンジ、２０…プローブ、２０Ａ…把持部、２０Ｂ1〜２０Ｂ3…接触子、２０Ｃ…収納部、２１…ビス、２２…ナット、３０…ベルト、３０ａ，３０ｂ…端部、４０ａ…オス面ファスナ、４０ｂ…メス面ファスナ、５０…接続ケーブル、６０Ａ，６０Ｂ…測定部位、１００…測定装置
【図１】
0004767073.tif 000002
【図２】
0004767073.tif 000003
【図３】
0004767073.tif 000004
【図４】
0004767073.tif 000005
【図５】
0004767073.tif 000006
【図６】
0004767073.tif 000007
【図７】
0004767073.tif 000008
【図８】
0004767073.tif 000009
【図９】
0004767073.tif 000010